(57)【要約】【課題】  スクリーンの閉位置における操作框の係脱を、きわめて単純な構成によって実現することが可能であり、しかも操作性においても優れた巻取式スクリーン装置を提供する。【解決手段】  操作框３をスクリーンの閉位置に係止する係止機構を、ガイド枠５の前方壁７ａ側から後方壁７ｂ側に向けてガイド溝７内の初期位置に突出されていて、前方壁７ａ側の退避位置との間で弾性的に進退可能な係止爪８と、上記操作框３の上端部に設けられて該係止爪８に係脱する係止部９とで構成する。【選択図】        図１（ａ）
2006225962.tif 000002
【特許請求の範囲】
【請求項１】
スクリーンを巻き取るための巻取軸と、上記スクリーンの先端に取り付けられた操作框と、該操作框の両端部を開閉方向に案内するガイド溝を備えた一対のガイド枠と、上記操作框を上記スクリーンの閉位置に係止させるため係止機構とを有する巻取式スクリーン装置において、
上記ガイド枠が、互いに対向して上記ガイド溝を形成する前方壁及び後方壁を有し、
上記係止機構が、前方壁側から後方壁側に向けて上記ガイド溝内の初期位置に突設されていて、前方壁側の退避位置との間で弾性的に進退可能な係止爪と、上記操作框の端部に設けられていて、該係止爪に係脱する係止部とを備えており、
閉操作時には、上記操作框の当接により一旦退避位置側に後退した係止爪が、その初期位置側への弾性的な戻りにより操作框の上記係止部に係合して、スクリーンの閉状態が保持され、
開操作時には、操作框を後方壁側へと押圧することにより上記係止爪と係止部との係合が解除され、スクリーンの上記巻取軸への巻き取りに伴って、該操作框が、上記初期位置にある係止爪の先端と上記後方壁との間に形成されたガイド溝内の間隙を通じて、上記巻取軸方向へと移動するように構成されている、
ことを特徴とする巻取式スクリーン装置。
【請求項２】
請求項１に記載の巻取式スクリーン装置において、上記操作框が、前方壁と後方壁との間で傾倒可能なるように設けられているもの。
【請求項３】
請求項１または請求項２に記載の巻取式スクリーン装置において、上記ガイド枠と係止爪との間に、該係止爪の上記ガイド溝内への突出量を制限するストッパ手段が設けられているもの。
【請求項４】
請求項１から請求項３のいずれかに記載の巻取式スクリーン装置において、上記係止爪が、その巻取軸側に、前方壁側から後方壁側へ閉操作方向に傾斜する押圧部を有していて、
閉操作時に、操作框が上記押圧部に当接することにより、係止爪が上記退避位置側に一旦後退するように構成されたもの。
【請求項５】
請求項４に記載の巻取式スクリーン装置において、上記操作框の係止部が、前方壁方向に傾斜して立ち上がる第１係合部を有していると共に、上記係止爪が、上記押圧部と鋭角を成して該第１係合部とほぼ同方向に傾斜する第２係合部を有していて、
閉操作時に、上記退避位置側に一旦後退した係止爪の初期位置側への弾性的な戻りにより、上記係止部の第１係合部と上記係止爪の第２係合部とが係合して、スクリーンの閉状態が保持されるように構成されたもの。
【発明の詳細な説明】
【技術分野】
【０００１】
本発明は、ロール式の防虫網戸やブラインドのように、スクリーンの巻取軸への巻き取り及び巻取軸からの繰り出しにより、開閉自在とした建物開口部用の巻取式スクリーン装置に関するものである。
【背景技術】
【０００２】
この種のスクリーン装置として、スプリングによって巻取方向に付勢した巻取軸にスクリーンを巻き付け、該スクリーン先端に取り付けた操作框及びスクリーンの両側端を溝形断面を有するガイドレールで案内させながら開閉するようにしたものは広く知られている。このようなスクリーン装置においては、スクリーン装置の閉操作時に操作框及びスクリーンを閉位置に保持させるため、種々の構成の係止手段が使用されており、例えば、特許文献１に記載されているように、各ガイドレールの内部に、操作框の前面側及び後面側の両面から弾性的に挟持する略コ字形の係合片を配設し、操作框を係合片内に押し込むことにより該操作框の端部を係合片によって挟持させ、操作框を押し上げることによりその挟持を解除させる構成のものが存在する。また、特許文献２に記載されているように、各ガイドレールの内部に、該ガイドレールの溝の開口方向に向くフックを配設すると共に、操作框の両端部にガイドレール方向に弾性的に突出するストッパをそれぞれ設けて、スクリーンの閉位置においては上記フックとストッパとが相互に係合することにより操作框を係止させ、操作框の中央部に配設した操作子を操作してストッパを操作框側に引き込むことによりフックとストッパとの係合を解いて操作框の係止を解除させる構成のものも存在する。
【０００３】
上記構成のものはいずれも操作框をスクリーンの閉位置で確実に係止することができ、機能面では特に問題はないものの、前者の場合、開閉操作時に操作框を係止片の弾性に抗して該係止片内に押し込んだり、該係止片内から引き抜いたりする構成であることから、操作性の面で多少改良の余地があった。一方、後者の場合は、操作框を係止するための構造、あるいはその係止を解除するための構造が比較的複雑でコスト高になるという難点がある。
【特許文献１】実開昭６３−１２２５９７
【特許文献２】実開平３−１０１７９８
【発明の開示】
【発明が解決しようとする課題】
【０００４】
本発明の技術的課題は、スクリーンの閉位置における操作框の係脱を、きわめて単純な構成によって実現することが可能であり、しかも操作性においても優れた巻取式スクリーン装置を提供することにある。
【課題を解決するための手段】
【０００５】
上記課題を解決するため、本発明の巻取式スクリーン装置は、スクリーンを巻き取るための巻取軸と、上記スクリーンの先端に取り付けられた操作框と、該操作框の両端部を開閉方向に案内するガイド溝を備えた一対のガイド枠と、上記操作框を上記スクリーンの閉位置に係止させるため係止機構とを有する巻取式スクリーン装置において、上記ガイド枠が、互いに対向して上記ガイド溝を形成する前方壁及び後方壁を有し、上記係止機構が、前方壁側から後方壁側に向けて上記ガイド溝内の初期位置に突設されていて、前方壁側の退避位置との間で弾性的に進退可能な係止爪と、上記操作框の端部に設けられていて、該係止爪に係脱する係止部とを備えており、閉操作時には、上記操作框の当接により一旦退避位置側に後退した係止爪が、その初期位置側への弾性的な戻りにより操作框の上記係止部に係合して、スクリーンの閉状態が保持され、開操作時には、操作框を後方壁側へと押圧することにより上記係止爪と係止部との係合が解除され、スクリーンの上記巻取軸への巻き取りに伴って、該操作框が、上記初期位置にある係止爪の先端と上記後方壁との間に形成されたガイド溝内の間隙を通じて、上記巻取軸方向へと移動するように構成されていることを特徴とするものである。
【０００６】
本発明の巻取式スクリーン装置の好ましい実施形態においては、上記操作框が、前方壁と後方壁との間で傾倒可能なるように設けられている。また、上記ガイド枠と係止爪との間に、該係止爪の上記ガイド溝内への突出量を制限するストッパ手段が設けられている。
さらに、本発明においては、上記係止爪が、その巻取軸側に、前方壁側から後方壁側へ閉操作方向に傾斜する押圧部を有していて、閉操作時に、操作框が上記押圧部に当接することにより、係止爪が上記退避位置側に一旦後退するように構成されていても良く、またそのとき、上記操作框の係止部が、前方壁方向に傾斜して立ち上がる第１係合部を有していると共に、上記係止爪が、上記押圧部と鋭角を成して該第１係合部とほぼ同方向に傾斜する第２係合部を有していて、閉操作時に、上記退避位置側に一旦後退した係止爪の初期位置側への弾性的な戻りにより、上記係止部の第１係合部と上記係止爪の第２係合部とが係合して、スクリーンの閉状態が保持されるように構成されていても良い。
【０００７】
そして、このような本発明に係る巻取式スクリーン装置によれば、スクリーンの閉位置における操作框の係脱を、ガイド溝内に突出する初期位置と前方壁側の退避位置との間で弾性的に進退可能に設けられた係止爪と、上記操作框の前方壁側に設けられた係止部とにより構成されたきわめて単純な係止機構によって実現することが可能である。
しかも、閉操作時には操作框をスクリーンの閉位置に移動させるだけで係止爪と操作框の係止部とが係合して該操作框がその位置に係止され、一方、開操作時には、係止状態にある操作框を単に後方壁側へと押圧することにより、上記係止爪と係止部との係合が解除され、スクリーンの上記巻取軸への巻き取りに伴って、該操作框が、初期位置にある係止爪の先端と後方壁との間に形成されたガイド溝内の間隙を通じて、上記巻取軸方向へと移動するように構成されているので、操作框の係脱操作自体も非常に単純且つ容易である。
【発明の効果】
【０００８】
以上に詳述したように、本発明に係る巻取式スクリーン装置によれば、スクリーンの閉位置における操作框の係脱を、きわめて単純な構成によって実現することが可能である。また、該操作框の係脱操作も非常に簡単であり、操作性においても優れている。
【発明を実施するための最良の形態】
【０００９】
図１（ａ）、図１（ｂ）、図２及び図３は、本発明に係る巻取式スクリーン装置の一実施例を示すものであり、この実施例のスクリーン装置は、回転自在に支持された巻取軸１ａを内部に備える巻取ボックス１と、該巻取軸１ａに基端部側が固定されて巻き付けられる網戸やブラインド等のスクリーン２と、該スクリーン２の先端部に取り付けられた操作框３と、上記スクリーンボックスに上端側が連結され、該操作框３の左右両端部を開閉方向すなわち上下方向に案内する一対のガイド枠４，５と、上記操作框３をスクリーン２の閉位置で解除可能に係止させてスクリーン２を閉状態に保持するための係止機構とを有している。
そして、上記スクリーン装置は、巻取ボックス１を建物開口部枠の上枠材に取り付けるると共に、一対のガイド枠４，５を該建物開口部枠の互いに対向する縦枠材にそれぞれ取り付けることにより、建物開口部に対して装着されるようになっている。
【００１０】
ここで、上記巻取軸１ａは、巻取ボックス１内の左右端部に設けられた軸受け１ｂ，１ｂによって回転自在に支持されており、また、該巻取軸１ａにはコイルスプリング１ｃによる巻取機構が内蔵されていて、上記スクリーン２を操作框３の閉操作により巻取軸１ａから繰り出した際に、該コイルスプリング１ｃに戻り方向（スクリーン２の巻き取り方向）の回転付勢力が蓄積されるようになっており、その回転付勢力が蓄積されたコイルスプリング１ｃを駆動源として、上記スクリーン２を該巻取軸１ａに巻き取ることができるようになっている。
【００１１】
上記操作框３には、その前面側における上下方向略中央に前方に突出した操作用の第１取っ手３ａが設けられていると共に、該前面側における取っ手３ａの下方から紐等で垂下された操作用の第２取っ手３ｂが設けられていて、例えば、スクリーン装置の開操作にあたっては上記第１取っ手３ａを利用し、閉操作にあたっては上記第２取っ手３ｂを利用することができるようになっている。また、該操作框３の下端には、弾性的に変形可能な当接部材３ｃが、その長さ方向に沿って設けられていて、スクリーン装置の閉操作時に操作框３の下端が下枠材に当接することによる衝撃を吸収すると共に、該操作框３が上記係止機構によりスクリーン２の閉位置に係止された状態において、上記建物開口部枠の下枠材に当接して、該下枠材と操作框３との間に形成される隙間を塞ぐことができるようになっている。
【００１２】
上記一対のガイド枠４，５は、開口部が互いに対向するガイド溝６，７をそれぞれ備えており、該ガイド溝６，７内に上記操作框３及びスクリーン２の左右両端部がそれぞれ挿入されて、開閉方向すなわち上下方向に案内されるようになっている。これらガイド溝６，７は、スクリーン２の前面側すなわちスクリーン装置の操作面側に位置する前方壁６ａ，７ａと、スクリーン背面側に位置する後方壁６ｂ，７ｂとを有していて、略コ字状に形成されており、これら前方壁６ａ，７ａと後方壁６ｂ、７ｂとにより操作框３及びスクリーン２の左右両端部をそれぞれ前後面側から挟むような形状となっている。
【００１３】
上記ガイド溝６，７は、上記操作框３を前方壁６ａ，７ａと後方壁６ｂ，７ｂとの間で前後方向に一定角度傾倒させることができる程度の溝幅を有している。また、該ガイド溝６，７の底部には、開閉方向すなわち上下方向に沿って係合溝ｇがそれぞれ設けられていて、該係合溝ｇは、その開口部よりも内部で幅広に形成されている。一方、上記スクリーン２は、その左右両端縁に沿って係合部材２ａを有している。そして、該係合部材２ａは、上記係合溝ｇの開口部よりも幅広で、且つ該係合溝ｇの内部よりも幅狭に形成されていて、該係合溝ｇ内に摺動自在に挿通されている。
【００１４】
更に具体的に説明すると、上記ガイド枠４，５においては、係合溝ｇが開設された長尺のインナーレール６ｃ，７ｃがガイド溝６，７の底部に遊挿されている。そして、該ガイド溝６，７内においてインナーレール６ｃ，７ｃと前方壁６ａ，７ａ及び後方壁６ｂ，７ｂとの間には遊びが設けられており、該インナーレール６ｃ，７ｃは、操作框３の操作に伴うスクリーン２の面方向の動きに応じて、上記遊びの範囲内で自由に動くことができるようになっている。ただし、上記インナーレール６ｃ，７ｃは、ガイド溝６，７の最小幅よりも幅広に形成されていて、ガイド溝６，７から抜脱しないようになっている。一方、上記係合部材２ａは、ファスナ状に列設された多数の係合子により構成されていて、上記巻取軸１ａに対するスクリーン２の巻き取りもスムーズに行えるようになっている。
【００１５】
このように、各ガイド枠４，５のガイド溝６，７に操作框３の左右両端部を案内させると共に、該ガイド溝６，７内に設けられたインナーレール６ｃ，７ｃの係合溝ｇにスクリーン２の左右両端縁を案内させることによって、スクリーン装置のより安定的且つスムーズな開閉操作を可能としている。また、それと同時に、スクリーン２と各ガイド枠４，５との間の隙間から小さな虫等が室内に侵入するのをより確実に阻止することができる。
【００１６】
上記係止機構は、上記ガイド枠４，５のうち、一方のガイド枠５のガイド溝７内の下端側に設けられた係止爪８と、上記操作框３のガイド溝７に挿入されて案内される部位すなわち操作框３のガイド枠５側端部に設けられ、該係止爪８に下方から係合する係止部９とから構成されている。
上記係止爪８は、その前方壁７ａ側から後方壁７ｂ側に向けてガイド溝７内に突設されていて、ガイド溝７内に突出した初期位置（図５（ａ）及び図５（ｂ）並びに図６（ａ）及び図６（ｂ）参照）と、前方壁７ａ側に後退した退避位置（図４（ａ）及び図４（ｂ）参照）との間で進退可能となっている。
なお、上記初期位置は、ガイド溝７内において、スクリーン装置の開操作時に上記操作框３のガイド枠５側端部（係止部９）が通るのに必要とされる溝幅を、係止爪８の先端と後方壁７ｂとの間に残すような位置に予め設定されている。
【００１７】
具体的に説明すると、上記係止爪８は、ガイド枠５内の前方壁７ａ側の下端から上方に向けて立ち上がる曲げ弾性を有する可撓性のアーム１０の先端に一体に設けられている。そして、該アーム１０が、その固定された下端を支点として前方壁７ａ側に弾性的に撓むことにより、その先端に設けられた上記係止爪８が、上記初期位置と退避位置との間で弾性的に進退可能となっている。ここで、該アーム１０は、側面視において、下端に行くに従ってその厚さが徐々に厚くなるように形成されていて、その一部をガイド溝７内に突出させた状態で固定されている。
また、本実施例においては、ガイド溝７の開口部側における前方壁７ａ上に、一対の立壁１１ａ，１１ｂが、該ガイド溝７を横切って後方壁７ｂ方向に略平行に突設されていて、上記係止爪８及びアーム１０が該一対の立壁１１ａ，１１ｂ間に配設されている。そのため、該係止爪８が、これら一対の立壁１１ａ，１１ｂに案内されて、ガイド溝７を横切る一定方向に往復動できるようになっている。
【００１８】
さらに、上記係止爪８は、その巻取軸１ａ側（上面）に、前方壁７ａ側から後方壁７ｂ側に向けて、スクリーン装置の閉操作方向（下方向）に傾斜する押圧面（押圧部）８ａを有しており、該押圧面８ａは、外方に凸の滑らかな湾曲面状に形成されている。また、同時に、該係止爪８は、その上記押圧面８ａとは反対側（下面）に、後述する係止部９の第１係合面（第１係合部）９ａと係合させるための第２係合面（第２係合部）８ｂを有している。該第２係合面８ｂは、略平面状で、係止爪８の先端からアーム１０に固定された基端部に向けて上方に傾斜しており、上記押圧面８ａと鋭角を成している。
すなわち、上記係止爪８は、前方壁７ａ側から後方壁７ｂ側へ向けて斜め下方向に突出するフック状に形成されていて、その先端が鋭角に形成されている。
そして、スクリーン装置の閉操作により上記操作框３を下方に移動させた際に、該操作框３のガイド枠５側端部（係止部９）が、上記ガイド溝７内の初期位置に突出した状態にある係止爪８の押圧面８ａに当接し、該操作框３の更なる移動に伴って該押圧面８ａが押圧されながらスムーズに退避位置に後退できる構成としている。
【００１９】
さらに、上記係止爪８とガイド枠５の前方壁７ａとの間には、該係止爪８のガイド溝７内への突出量を制限するストッパ手段１２が設けられている。この実施例におけるストッパ手段１２は、上記一対の立壁１１ａ，１１ｂのうち少なくとも一方の立壁１１ａの内面から他方の立壁１１ｂ側に向けて突設された第１突出部１２ａと、上記係止爪８及び／またはそのアーム１０における上記第１突出部１２ａを有する立壁１１ａと対向する側面のから突設された第２突出部１２ｂとから構成されていて、係止爪８がガイド溝７内に突出する方向（退避位置側から初期位置方向）に変位した際に、適度な突出位置で上記第１突出部１２ａと第２突出部１２ｂとが当接して係合することにより、係止爪のガイド溝７内への最大突出量が制限されるようになっている。
【００２０】
より具体的には、上記第１突出部１２ａは、ガイド溝７の開口部側に配設された立壁１１ａの先端部に、該ガイド溝７に沿って一体に設けられており、また、上記第２突出部１２ｂは、上記係止爪８とアーム１０における前方壁７ａ側の後端部に、同じくガイド溝７に沿って一体に設けられている。そして、これら第１突出部１２ａ及び第２突出部１２ｂは、係止爪８が初期位置に突出した状態で互いに当接するような位置関係に設けられている（図５（ａ）及び図５（ｂ）並びに図６（ａ）及び図６（ｂ）参照）。すなわち、上記係止爪８は、上記ストッパ手段によって、初期位置を超えてのガイド溝７内への突出が阻止されるようになっている。さらに、本実施例においては、係止爪８が退避位置に後退した状態においても該係止爪８の爪先部分が第１突出部１２ａに当接して（図４（ａ）及び図４（ｂ）参照）、係止爪８の後退量も制限されるようになっている。
なお、上記初期位置に突出した係止爪８の先端と後方壁７ｂとの間に残されるガイド溝７の溝幅は、上記操作框３のガイド枠５側端部（係止部９）の厚さとほぼ等しくなっている。ただしこの場合、後に詳述するようなスクリーン装置のスムーズな開操作を実現するため、残される溝幅は、上記操作框３のガイド溝５側端部（係止部９）の厚さよりも若干広い方が望ましい。
【００２１】
一方、上記係止部９は、図４乃至図６の各（ａ）図に示すように、上端側の中央部分に上記スクリーン２の先端が差し込まれて固定されるスリット９ｂを備えていて、該スリット９ｂの上端開口部に、それぞれ前方壁７ａ及び後方壁７ｂ側に向かって上方にスリット幅を拡開させるように立ち上がる傾斜面（傾斜部）を有している。そして、これら傾斜面のうち、前方壁７ａ方向に傾斜して立ち上がる傾斜面が、上記係止爪８の第２係合面８ｂと係合する上述の第１係合面９ａを形成しており、該第１係合面９ａは、上記第２係合面８ｂと同様に略平面状に形成されていると共に、係止部９における前方壁７ａ側に配置された側面と鋭角を成している。
【００２２】
上記第１係合面９ａ及び第２係合面８ｂは、互いにほぼ同方向すなわち後方壁７ｂ側から前方壁７ａ側に向けて上方に傾斜するように形成されているが、本実施例の場合、図５（ｂ）に示すように、スクリーン装置の閉操作により上記係止爪８を係止部９に係合させた際に、操作框３が前方壁７ａ側に若干前傾した状態で係止されるような角度関係となっている。すなわち、第２係合面８ｂの傾斜角度が第１係合面９ａの傾斜角度よりも若干小さくなっている。
【００２３】
そして、スクリーン装置の閉操作時には、上述のように操作框３のガイド枠５側端部（係止部９）が上方から当接することにより初期位置から一旦退避位置側に後退した係止爪８が、該操作框３の係止部９の通過と同時に、その初期位置側への弾性的な戻りにより該係止部９に係合し、その結果、該操作框３はスクリーン２の閉位置に係止されて、スクリーン２の閉状態が保持されるようになっている。
また、スクリーン装置の開操作時には、係止された操作框３を後方壁７ｂ側へ押圧して移動させることにより、係止部９の第１係合面９ａが、上記ストッパ手段によって後方壁７ｂ側への移動が阻止された係止爪８の第２係合面８ｂ上を後方壁７ｂ方向に摺動しながら変位して、第１係合面９ａと第２係合面８ｂとの係合が解除され、その結果、上記係止爪８と上記操作框３の係止部９との係合が解除されるようになっている。
【００２４】
次に、このような構成を有する巻取式スクリーン装置の作用について詳細に説明する。
まず、当該巻取式スクリーン装置を閉操作するにあったっては、操作框３の第２取っ手３ｂを持って引き下げることにより、該操作框３をスクリーン２の閉位置まで移動させる。このとき、同時にスクリーン２が巻取軸１ａから繰り出されることにより、該巻取軸１ａに内蔵されたコイルスプリング１ｃに巻き取り方向の付勢力が蓄積される。また、図４（ａ）及び図４（ｂ）に示すように、閉位置近傍まで引き下げられた操作框３は、上記初期位置に突出した係止爪８の傾斜した押圧面８ａに、そのガイド枠５側端部（係止部９）が当接して前傾状態となり、該係止爪８を上記退避位置側へ押圧して後退させながら下方へと移動する。それと同時に曲げ弾性を有する上記アーム１０が撓んだ状態となる。そして、操作框３のガイド枠５側端部（係止部９）が係止爪８の先端を通過すると、図５（ａ）及び図５（ｂ）に示すように、撓んだアーム１０の弾性的な戻りにより係止爪８が退避位置側から初期位置に戻されて、係止部９の第１係合面９ａに対して係止爪８の第２係合面８ｂが係合し、その結果、操作框３が係止されてスクリーン２の閉状態が保持されるようになっている。なお、このとき、上記コイルスプリング１ｃに蓄積されたスクリーン２を巻き取る方向の付勢力を利用することにより、係止爪８と操作框３の係止部９とをより確実に係合させることができる。
【００２５】
一方、開操作時には、操作框３の第１取っ手３ａを持って後方壁７ｂ側へ押圧すると、
係止部９の第１係合面９ａがストッパ手段によって初期位置に係止された係止爪８の第２係合面８ｂ上を摺動して、操作框３が後方壁７ｂ側に傾倒すると共に、第１係合面と第２係合面との係合が解除され、その結果、係止爪８と操作框３の係止部９との係合が解除される（図６（ａ）及び図６（ｂ）参照）。すると、係止が解除された操作框３には、巻取軸１ａのコイルスプリング１ｃに蓄積された付勢力によりスクリーン２が巻き取られる上方への力が作用しているため、該操作框３のガイド枠５側端部（係止部９）が、ガイド溝７内における初期位置にある係止爪８の先端と後方壁７ｂとの間に形成された間隙を通じて上方にスムーズに移動し、その結果、スクリーン２が巻取軸１ａに巻き取られると共に、操作框３が上方へ持ち上げられて、スクリーン装置が開かれるようになっている。
【００２６】
上記実施例では、上記係止機構を、一方のガイド枠５及びそれにガイドされる操作框３の一方の端部側に設けているが、この係止機構は両方のガイド枠４，５及び操作框３の両端部に設けても良い。
さらに、上記係止爪８がアーム１０の曲げ弾性によって弾性的に進退可能に構成されているが、必ずしもこのような構成に限られるものではなく、例えば、スプリングの圧縮弾性によって係止爪８が弾性的に進退できるような任意の構成を採用することができ、また、その構成に応じて、上記ストッパ手段１２も適当な機構のものを採用することができる。さらに、操作框３の上記係止部９を、前方壁７ａ方向に向かって立ち上がる傾斜面状としているが、この係止部９は、係止爪８との係合が確実に行うことができ、且つ操作框３を後方壁７ｂ側に押圧することにより係合の解除ができることができる構成であれば、任意の形状とすることができる。
【図面の簡単な説明】
【００２７】
【図１（ａ）】本発明の巻取式スクリーン装置を示す正断面図である。
【図１（ｂ）】本発明の巻取式スクリーン装置を示す側断面図である。
【図２】操作框がスクリーンの閉位置にない状態を示す一部破断斜視図である。
【図３】操作框がスクリーンが閉位置にある状態を示す一部破断斜視図である。
【図４（ａ）】閉操作中の操作框の係止部及び係止爪の状態を側方から見た要部断面図である。
【図４（ｂ）】閉操作中の操作框の係止部及び係止爪の状態を上方から見た要部断面図である。
【図５（ａ）】操作框の係止部と係止爪とが係合した状態を側方から見た要部断面図である。
【図５（ｂ）】操作框の係止部と係止爪とが係合した状態を上方から見た要部断面図である。
【図６（ａ）】開操作中の操作框の係止部及び係止爪の状態を側方から見た要部断面図である。
【図６（ｂ）】開操作中の操作框の係止部及び係止爪の状態を上方から見た要部断面図である。
【符号の説明】
【００２８】
１          巻取ボックス
１ａ        巻取軸
１ｃ        スプリング
２          スクリーン
３          操作框
４，５      ガイド枠
６，７      ガイド溝
６ａ，７ａ  前方壁
６ｂ，７ｂ  後方壁
８          係止爪
８ａ        押圧面（押圧部）
８ｂ        第２係合面（第２係合部）
９          係止部
９ａ        第１係合面（第１係合部）
１２        ストッパ手段
【図１（ａ）】
2006225962.tif 000003
【図１（ｂ）】
2006225962.tif 000004
【図２】
2006225962.tif 000005
【図３】
2006225962.tif 000006
【図４（ａ）】
2006225962.tif 000007
【図４（ｂ）】
2006225962.tif 000008
【図５（ａ）】
2006225962.tif 000009
【図５（ｂ）】
2006225962.tif 000010
【図６（ａ）】
2006225962.tif 000011
【図６（ｂ）】
2006225962.tif 000012